(57)【要約】  オルガンは、鍵と、風供給部と流体連通する風箱とを含む。風箱パレットは、風箱の内部に配置されかつ鍵に接続されている。補助室は、風箱から独立しかつウィンドレギュレータと流体連通する。補助パレットは、補助室の内部に配置されかつ鍵に接続されている。第１の調整要素は、ウィンドレギュレータから生成される風を制御する。付勢要素は、補助パレットを閉位置に押し付ける。第２の調整要素は、補助パレットに付勢要素によってかけられる張力を制御する。【選択図】図１Ａ
2020525855.tif 000002
【特許請求の範囲】
【請求項１】
鍵と；
風供給部と流体連通する風箱と；
前記風箱の内部に配置されかつ前記鍵に接続されている風箱パレットと；
前記風箱から独立しかつウィンドレギュレータと流体連通する補助室と；
前記補助室の内部に配置されかつ前記鍵に接続されている補助パレットと；
前記ウィンドレギュレータから生成される風を制御する第１の調整要素と；
前記補助パレットを閉位置に押し付ける付勢要素と；
前記補助パレットに前記付勢要素によってかけられる張力を制御する第２の調整要素とを備える、オルガン。
【請求項２】
前記補助パレットは、前記鍵が押されたときに前記鍵に張力をもたらすために前記風箱パレットに接続される、請求項１に記載のオルガン。
【請求項３】
前記補助室に隣接する排気室をさらに備え、前記排気室は、前記補助パレットが前記閉位置にあるとき前記補助パレットによって前記補助室から分離されたままである、請求項１または２に記載のオルガン。
【請求項４】
前記排気室が、排気制御ゲートを備える、請求項３に記載のオルガン。
【請求項５】
前記排気制御ゲートが、開口を画定する、請求項４に記載のオルガン。
【請求項６】
前記開口のサイズは可変である、請求項５に記載のオルガン。
【請求項７】
前記補助室の空気圧が前記ウィンドレギュレータによって制御される、請求項１〜６のいずれか１項に記載のオルガン。
【請求項８】
前記空気圧が０〜２５０ｍｍ水柱である、請求項７に記載のオルガン。
【請求項９】
オルガンの鍵の張力を制御するデバイスであって、
前記オルガンの風箱から独立するようになされた補助室であって、ウィンドレギュレータと流体連通するように構成されている補助室と；
前記補助室の内部に配置されかつ前記鍵に接続されている補助パレットと；
前記ウィンドレギュレータから生成される風を制御する第１の調整要素と；
前記補助パレットを閉位置に押し付ける付勢要素と；
前記補助パレットに前記付勢要素によってかけられる張力を制御する第２の調整要素とを備える、デバイス。
【請求項１０】
前記補助パレットが、前記鍵が押されたときに前記鍵に張力をもたらすために前記オルガンの風箱パレットに接続されるようになされた、請求項９に記載のデバイス。
【請求項１１】
前記補助室に隣接する排気室をさらに備え、前記排気室は、前記補助パレットが前記閉位置にあるとき前記補助パレットによって前記補助室から分離されたままである、請求項９または１０に記載のデバイス。
【請求項１２】
前記排気室が、排気制御ゲートを備える、請求項１１に記載のデバイス。
【請求項１３】
前記排気制御ゲートが、開口を画定する、請求項１２に記載のデバイス。
【請求項１４】
前記開口のサイズは可変である、請求項１３に記載のデバイス。
【請求項１５】
前記補助室の空気圧が前記ウィンドレギュレータによって制御される、請求項９〜１４のいずれか１項に記載のデバイス。
【請求項１６】
前記空気圧が０〜２５０ｍｍ水柱である、請求項１５に記載のオルガン。
【請求項１７】
オルガンの鍵の鍵張力を制御する方法であって、
前記風箱から独立している補助室の補助パレットにかけられる空気圧を制御することであって、前記補助パレットは、前記鍵に接続されている、制御することと；
前記補助パレットを閉位置に押し付ける付勢要素にかけられる張力を制御することであって、前記付勢要素は、前記鍵に接続されている、制御することとを含む、方法。
【請求項１８】
前記補助室に隣接する排気室から出る空気の量を制御することであって、前記排気室は、前記補助パレットが前記閉位置にあるとき前記補助パレットによって前記補助室から分離されたままである、制御することをさらに含む、請求項１７に記載の方法。
【請求項１９】
前記排気室から出る空気の前記量を変えるために排気制御ゲートを制御することであって、前記排気室が前記排気制御ゲートを備え、前記排気制御ゲートが開口を画定する、制御することをさらに含む、請求項１８に記載の方法。
【請求項２０】
前記開口の前記サイズを制御することをさらに含む、請求項１９に記載の方法。
【請求項２１】
オルガンの鍵の鍵張力を制御する方法であって、
補助パレットを前記鍵に接続することであって、前記補助パレットは、補助室の内部に配置され、前記補助室は、前記オルガンの風箱から独立するようになされた、接続することと；
前記補助室の内部で生成される風を制御することと；
前記補助パレットに付勢要素によってかけられる張力を制御することとを含む、方法。
【請求項２２】
前記補助パレットを前記鍵に接続することが、前記補助パレットを、前記鍵と前記風箱の内部に位置するパレットの間のリンクに接続することを含む、請求項２１に記載の方法。
【発明の詳細な説明】
【技術分野】
【０００１】
関連出願の相互参照
本出願は、その全体が参照によって本明細書に援用される２０１７年６月３０日に出願されたＵＳ６２／５２７，４５６に対する優先権を主張し、本開示はオルガンに関する。
【０００２】
本開示は、オルガンに関する。詳細には、本開示は、可変鍵張力を有するオルガンに関する。
【背景技術】
【０００３】
パイプオルガンは、非常に様々なサイズおよび能力を有する楽器である。コンサートホールのオルガンは、４０’×４０’×２０’奥行程の大きさに容易になり得る。一方、小さな練習用のオルガンは、幅６’×高さ８’×奥行５’程の小ささになり得る。機械作動オルガンに関し、鍵盤への張力もまた、楽器のサイズ、その製造品質、その技術レベルならびにその年式に応じて大きく異なるだろう。プロであれ学生であれ、演奏を習得するために曲の練習を望むオルガン奏者は、コンサートホールまたは教会のオルガンよりも通常はるかに小さい楽器にアクセスするだろう。
【０００４】
小さな練習用の楽器は通常、大きな教会またはコンサートホールの楽器よりもはるかに小さいので、それらの鍵盤張力は、大きな楽器よりもはるかに軽いものとなろう。したがって、そういったより大きな楽器で演奏されるときにはるかに多くを要求するだろう曲のリハーサルには理想的な構成ではない。
【発明の概要】
【０００５】
したがって、記述した課題の１つを少なくとも部分的に解決するまたは既存技術の代替となる装置または方法を提供することが非常に望ましい。
【０００６】
一態様によれば、鍵と；風供給部と流体連通する風箱と；風箱の内部に配置されかつ鍵に接続されている風箱パレットと；風箱から独立しかつウィンドレギュレータと流体連通する補助室と；補助室の内部に配置されかつ鍵に接続されている補助パレットと；ウィンドレギュレータから生成される風を制御する第１の調整要素と；補助パレットを閉位置に押し付ける付勢要素と；補助パレットに付勢要素によってかけられる張力を制御する第２の調整要素とを備えるオルガンが提供される。
【０００７】
別の態様によれば、オルガンの鍵の張力を制御するデバイスであって、オルガンの風箱から独立するようになされた補助室であって、ウィンドレギュレータと流体連通するように構成されている補助室と；補助室の内部に配置されかつ鍵と接続されている補助パレットと；ウィンドレギュレータから生成される風を制御する第１の調整要素と；補助パレットを閉位置に押し付ける付勢要素と；補助パレットに付勢要素によってかけられる張力を制御する第２の調整要素とを備えるデバイスが提供される。
【０００８】
一態様によれば、オルガンの鍵の鍵張力を制御する方法であって、風箱から独立している補助室の補助パレットにかけられる空気圧を制御することであって、補助パレットは当該鍵に接続されている、制御することと；補助パレットを閉位置に押し付ける付勢要素にかけられる張力を制御することであって、付勢要素は鍵に接続されている、制御することとを含む、方法が提供される。
【０００９】
別の態様によれば、オルガンの鍵の鍵張力を制御する方法であって、補助パレットを鍵に接続することであって、補助パレットは補助室の内部に配置され、補助室はオルガンの風箱から独立している、接続することと；補助室の内部で生成される風を制御することと；補助パレットに付勢要素によってかけられる張力を制御することとを含む、方法が提供される。
【００１０】
以下の図面は、非限定的に提示される例を表す。
【図面の簡単な説明】
【００１１】
【図１Ａ】一例によるオルガンの概略断面図である。
【図１Ｂ】別の例によるオルガンの概略断面図である。
【図１Ｃ】別の例によるオルガンの概略断面図である。
【発明を実施するための形態】
【００１２】
以下の例は、非限定的に提示される。
【００１３】
例えば、オルガンは、鍵が押されたときに鍵に張力をもたらすために風箱パレットに接続されている補助パレットを含み得る。
【００１４】
例えば、オルガンは、さらに、補助室に隣接する排気室を含み得、排気室は、補助パレットが閉位置にあるとき補助パレットによって補助室から分離されたままである。
【００１５】
例えば、排気室は、排気制御ゲートを備え得る。
【００１６】
例えば、排気制御ゲートは、開口を画定し得る。
【００１７】
例えば、開口のサイズは、可変であり得る。
【００１８】
例えば、補助室の空気圧は、ウィンドレギュレータによって制御され得る。
【００１９】
例えば、空気圧は、０〜２５０ｍｍまたは約１０〜約２２５水柱であり得る。
【００２０】
例えば、デバイスにおいて、補助パレットは、鍵が押されたときに鍵に張力をもたらすためにオルガンの風箱パレットに接続されている。
【００２１】
例えば、デバイスは、室に隣接する排気室を含み、排気室は、補助パレットが閉位置にあるとき補助パレットによって室から分離されたままである。
【００２２】
例えば、排気室は、排気制御ゲートを備える。
【００２３】
例えば、排気制御ゲートは、開口を画定する。
【００２４】
例えば、開口のサイズは、可変である。
【００２５】
例えば、補助室の空気圧は、ウィンドレギュレータによって制御される。
【００２６】
例えば、空気圧は、０〜２５０ｍｍまたは約１０〜約２２５ｍｍ水柱である。
【００２７】
オルガン奏者が弾きながら対処しなければならない力は、主に、２つの異なる要素からもたらされる。
【００２８】
１つの力は、鍵盤の鍵を風箱（パイプに送られる圧力下の空気を含む箱）に位置するパレットに接続する機械要素の経路全てにおいて発生する摩擦およびばね張力の実際の合計である。短くかつより単純な機構は、ピボットおよびスクエア全てにおいてより少ない戻しばね張力およびより少ない摩擦を必要とするだろう。このことをばね抵抗と呼ぶ。
【００２９】
もう１つの力は、空気がパイプ内に流入することを阻むパレットの抵抗である。楽器が大きくなると、圧力は大きくなり、パレットは大きくなり、かくして、圧力差およびパレットのサイズによって生じるパレットの開きまたは「パレットの吸着」を克服するのに、鍵へのより強い力が必要とされるだろう。圧力差は、パレットの上にある室と下にある室の圧力の差である。
【００３０】
時とともに、オルガン奏者が感じるだろう事柄がある。すなわち、オルガン奏者が鍵を押し下げるにつれて、パレットへの張力は増大し、したがって、鍵への張力が増大する。鍵の経路における様々な要素からの張力全てが克服されたとき、パレット箱と鍵チャネルの圧力において克服すべき圧力差がまだ存在する。パレットの移動のこれら１〜２ｍｍは、鍵への増大する張力として感じられるだろう。オルガン奏者は、通常、この力を「ｐｌｕｃｋ  ｒｅｓｉｓｔａｎｃｅ（引張抵抗）」と呼ぶ。
【００３１】
奏者が、鍵にさらに少しの力をかけて押すと、突然、パレットは開き始め、空気がパレットの上の鍵チャネルに流入するにつれ、パレットの下の圧力とパレットの上の圧力は均等化し、鍵上に、ほとんどばね抵抗のみを残す。鍵上の残存する抵抗は、最大抵抗の４０〜６０％となろう。力全てが突然克服されたときの鍵張力の低下は、「ＰＬＵＣＫ（引張）」と呼ばれる。
【００３２】
機構は、これら２つの力を模倣するように設計され得る。例えば、そのようにするために、小さなオルガンは非常に軽いアクションで用いることができ、それに、より大きな楽器の特性を再現する２つの追加機構が追加され得る。
【００３３】
例えば、風箱を有する２段のマニュアル（２段の鍵盤）楽器が構成され、それに、補助パレット室に位置する６１鍵の各々に対する補助パレットが追加される。風箱１０および補助パレット室８０の断面図を図１Ａに示す。
【００３４】
これらのパレットを用いることにより、鍵盤への鍵張力に影響する２つの主パラメータ、すなわちばね張力およびパレット吸着または「ｐｌｕｃｋ（引張）」の量を変更することが可能となり得る。
【００３５】
ばね張力は、いくつかの源からもたらされ得る。
・鍵アクションの質量
・鍵アクションの経路における方向性変化の量
・鍵アクションの摩耗などからの様々な摩擦源
・ローラーボードの多数の軸点
・鍵アクションの経路におけるスクエアまたは様々なピボットポイント
【００３６】
このパラメータに作用しかつばね張力の変化を模倣するために、ばね３０が、補助パレットの各々に一端が取り付けられる。ばねの他端は、パレットから離れて移動され得る部材に取り付けられる。例えば、ばねは、レバー４０に取り付けられ得、かつ、レバー４０およびその機構５０を有するスクエアによって移動され得る。
【００３７】
レバー４０のピボットは、一端において風箱の底部に取り付けられている。スクエア５０の端部は、奏者がアクセスすることができるクランク６０に接続されているねじ棒によって引かれるまたは押される。奏者がクランクを時計回りに回すと、バーは、さらに下に移動し、かくして、補助パレットに取り付けられているばねの張力を増大させる。そして、このシステムは、鍵アクションのばね張力を変えることができる。
【００３８】
もう１つのパラメータは、パレット吸着または「ｐｌｕｃｋ（引張）」の量である。この現象は、初期パレット抵抗によって生じるものであり、それは、パレットが開かれたときに低下する。抵抗は、パレットの上の圧力とパレットの下の圧力がほぼ均等化されたとき低下する。奏者が克服する必要があるこの力は、パレットが開くことに逆らうように作用する圧力の結果である。
【００３９】
開口における張力は、パレット開口面積に、風箱１０に設定されている風圧を乗じた積である。補助パレット室８０において開口の上に位置する補助パレットは、いくらかの「ｐｌｕｃｋ（引張）」を追加するのに用いられ、かつ、受ける圧力によって制御される追加張力を有するだろう。
【００４０】
補助パレット室の圧力を変化させると、それに応じて、追加「ｐｌｕｃｋ（引張）」は変化するだろう。圧力を変化させるために、第２のウィンドレギュレータ１６０が、オルガンに追加される。その設定は、可撓軸１１０によってレギュレータばね１００に作用する第２のクランクを用いて調整され得る。そして、圧力は、０〜２５０ｍｍ水柱で変えられ得る。より高い張力は、利用可能な場合、より高い送風機の圧力を用いて達成され得る。
【００４１】
鍵の各々に対して、元の「ｐｌｕｃｋ（引張）」が克服されたとき「触った後の」効果を変更する別のデバイスが、補助パレット室の底部の後ろに配置され得る。この別のデバイスは、パレット移動の最初の何ミリメートルかのピークフォール抵抗を低減またはさらに強めるという制限を、排気部１２０において設ける。このデバイスは、出荷時に調整済みである。
【００４２】
両方の張力機構がそれらの最小値に設定されると、オルガンの実際の鍵アクションに張力は加えられない。オルガン奏者は、オルガンを、そのサイズの通常の楽器の実際の張力特性で演奏することができる。そして、補助パレット室の圧力および張力は風箱から独立しているので、補助パレット室の圧力を変更することは、配管の音声に全く影響を与えない。
【００４３】
一例によれば、鍵張力の変化を可能とするオルガン機構が開示される。図１Ａに示すように、オルガンの断面図が開示される。
【００４４】
オルガンの鍵１０１は、先端１０２を有する。鍵を押すとき、ユーザは、鍵１０１の先端１０２を押す。鍵は、鍵の一部において均衡が取られる。例えば、鍵１０１は、点１０４において回転する。
【００４５】
鍵の端部は、レバーに接続されている。例えば、リンクが、鍵の端部１０３をレバー２０３の一端２０１に接続する。レバーの支点は固定されている。
【００４６】
レバーの他端２０５は、風箱パレットに接続されている。レバーは、リンクによって風箱パレットに接続され得る。リンクは、ワイヤ、ステッカー、ロッド、トラッカーであり得る。
【００４７】
ユーザが鍵１０１の先端１０２を押すと、
−先端１０２は、鍵１０１がピボット１０４で回転しながら、下に移動し、
−鍵１０１の端部１０３は上に移動し、
−レバー端部２０１は上に移動し、
−レバー２０３は回転し、
−レバー端部２０５は下に移動しかつリンク２０７を引き下げ、それにより、風箱パレット１２を開位置まで引き下げる。
【００４８】
下に移動することによって、レバー端部２０５は、風箱パレット１２に下方への力をかける。例えば、この下方への力により、パレット１２は開き得る。
【００４９】
鍵は、オルガン奏者の指がそれを動かすために多かれ少なかれエネルギーをかけることができるように、特定の重量を有し得る。風箱パレットを引き下げるのに必要な力は、鍵において感じられる抵抗をもたらし得る。この抵抗は、ユーザに、特定量のフィードバックを与える。このフィードバックは、良い「感触」を有し得る。鍵は、適度な下方への圧力を必要とし、なお非常に良い「感触」を有し得る。抵抗は、オルガン奏者がその存在に気が付くのにちょうどのものであり得る。
【００５０】
風箱パレット１２は、ばね１４によってかけられる張力によって閉位置に維持される。風箱パレット１２はまた、風箱内部の空気圧によって閉位置に維持される。閉位置において、風箱パレット１２は、空気がパイプ内に流入することを阻む。かくして、パレットの両側に圧力差が存在する。パレットの下の風箱の空気圧は、パレットの上部の鍵チャネルの空気圧と異なる。パレットに作用する圧力差により、パレットは、閉位置に吸着される。風箱パレットに作用するこの力は、「ｐｌｕｃｋ  ｒｅｓｉｓｔａｎｃｅ（引張抵抗）」と呼ばれる。
【００５１】
図１Ａを参照すると、風箱１０は、風供給部と流体連通する。風箱は、パイプに送られる圧力下の空気を含む箱である。
【００５２】
風箱パレット１２は、風箱１０の内部に配置されかつ鍵１０１に接続されている。パレット１２は、閉位置において、風箱と鍵チャネルを分離したままとする。風箱１０は、圧搾空気を含み、鍵チャネル１６は、パイプに接続されている。風箱パレットは、パレットが開位置にあるとき空気がパイプに流れることを可能にする溝を被覆する。
【００５３】
１つの特定の鍵に対するパイプは全て、鍵チャネルに対する開口に位置し、それによって、パレットが開いたとき、圧搾空気が鍵チャネルにおける溝を介してパイプに入ることが可能になる。パレットは、鍵が押されていないときは、ばねによって閉じたままとされ得る。
【００５４】
例えば、ばねは、風箱パレットに接続され、パレットを閉位置に保つ。ばねは、Ｖ形状のばねであり得る。
【００５５】
図１Ｂを参照すると、補助室８０は風箱１０の下に位置する。補助室は、風箱から独立している。
【００５６】
補助室８０は、ウィンドレギュレータ１６０と流体連通する。図１Ｃに示すように、導管３１１は、補助室８０とウィンドレギュレータ１６０の間を接続する。導管３１１の一端３１３は、ウィンドレギュレータ１６０に接続されている。導管３１１の他端３１５は、補助室８０の開口に接続されている。導管３１１は、空気などの流体を、ウィンドレギュレータから補助室８０に通過させるように構成されている。
【００５７】
図１Ｂに戻ると、レバー２１１が、補助室に配置されている。レバー２１１は、２つの端部、端部２１３および端部２１５を有する。レバー端部２１３は、リンク２０７に接続されている。
【００５８】
補助パレット２０は、補助室８０に配置されている。補助パレット２０は、レバー２１１を通じて鍵１０２に接続され、レバー２１１は、リンク２０７に接続されている。レバー端部２１５は、補助パレット２０にリンク２１７経由で接続されている。補助パレット２０は、その停止位置において、補助パレット室８０を排気室１２０から分離されたままとする。
【００５９】
一例では、リンク２０７は、補助パレット室８０を通り抜ける。絶縁ガスケットが、リンクの補助室内への入口地点において、補助室内部の圧力の漏れを防ぐために用いられ得る。例えば、絶縁ガスケット２０９は、補助パレット室８０と風箱１０の間の空気圧の漏れを防ぐ。
【００６０】
図１Ｂを参照すると、リンク２０７は、レバー２１１の一端２１３がリンク２０７に接続されるように、補助パレット室８０の内部でレバー２１１に接続されている。
【００６１】
補助パレット２０は、鍵が押されたときに鍵１０１に張力をもたらすために風箱パレット１２に接続されている。ユーザが鍵１０１を押すと、レバー端部２０５が下に移動し、リンク２０７を引き下げて、風箱に配置されている風箱パレット１２を開くにつれ、以下のことが、補助パレット室８０の内部で起きる。
−レバー２１１の端部２１３が引き下げられる
−レバー２１１が回転し、レバー２１１の端部２１５が上に移動する
−上に移動することによって、レバー端部２１５は、リンク２１７に上方への力をかけて、補助パレット２０を引き上げる
【００６２】
例えば、リンク２１７に対するこの上方への力により、補助パレット２０が開かれ得る。補助パレット室の圧力を変化させると、それに応じて、追加「ｐｌｕｃｋ（引張）」は変化するだろう。補助パレット室８０の圧力は、ウィンドレギュレータ１６０によって変えられ得る。補助パレット室８０の圧力はまた、排気室１２０および排気制御ゲート９０の構造によっても変えられ得る。
【００６３】
風箱パレットおよび／または補助パレットをアクティブにするのに必要とされる力は、鍵において感じられる抵抗をもたらし得る。この抵抗は、オルガン奏者に、特定の張力、感覚、またはそれに対する「感触」を有する、鍵における特定量のフィードバックを与える。張力、感覚、または「感触」はまた、風箱パレットおよび／または補助パレットが開位置にあるとき、鍵において感じられる。
【００６４】
オルガン奏者は、補助パレットに付勢要素によってかけられる抵抗を調整することによって、鍵における張力、感覚、または「感触」を設定可能であり得る。
【００６５】
オルガン奏者は、補助室の空気圧を調整することによってまたはウィンドレギュレータによって補助室において生成される風を制御することによって、鍵における張力、感覚、または「感触」を設定可能であり得る。
【００６６】
オルガン奏者は、補助室の空気圧を調整することによってまたは排気室および排気制御ゲートを調整することによって、鍵における張力、感覚、または「感触」を設定可能であり得る。
【００６７】
第１の調整要素７０は、ウィンドレギュレータから生成される風を制御するのに用いられる。例えば、ウィンドレギュレータ１６０は、補助パレット室８０内部の圧力を変えるのに用いられる。一例では、第１の調整要素は、クランクであり得る。例えば、ウィンドレギュレータの設定は、クランクの使用によって調整され得る。クランクは、可撓軸１１０を介してレギュレータばね１００に作用する。送風機から入ってくる圧力に対抗するばね１００の張力を変えることによって、風箱に供給する「標準」ウィンドレギュレータ（図示せず）および調整可能なウィンドレギュレータ１２０の両方に供給する送風機が存在する。そして、圧力は、補助パレット室において、０〜２５０ｍｍ水柱で変えられ得る。より高い張力は、利用可能な場合、より高い送風機の圧力を用いて達成され得る。
【００６８】
一例では、補助室に隣接する排気室が存在する。排気室は、補助パレットが閉位置にあるとき補助パレットによって補助室から分離されたままである。排気室は、排気制御ゲート９０を有し得る。排気制御ゲートは、開口を画定する。開口のサイズは、可変であり得る。
【００６９】
図１Ｂを参照すると、排気室１２０は、補助パレット室８０の下に位置する。排気室１２０は、閉位置における補助パレット２０によって補助パレット室８０から分離されたままである。排気室１２０は、開口を画定する排気制御ゲート９０を有する。開口は、排気室の外周上のどこかに位置し得る。排気制御ゲート９０のサイズは、変えられ得る。排気制御ゲート開口９０のサイズを変えることにより、補助パレット２０が開位置にあるときに排気室１２０に残り得る空気量が変わる。
【００７０】
補助パレットが開位置まで引き上げられるとすぐに、排気室の圧力は上昇するだろう。そこから逃げる空気量は、パレットが開かれると圧力差が低減されることにより補助パレットの吸着効果に影響を及ぼすように制御される。
【００７１】
補助パレット箱の圧力を変化させると、それに応じて「ｐｌｕｃｋ（引張）」は変化するだろう。
【００７２】
補助パレット室８０の圧力は、ウィンドレギュレータ１６０によって変えられ得る。
【００７３】
補助パレットが開かれたとき補助パレット室８０から流出する圧力は、排気室１２０および排気制御ゲート９０の構造によって変えられ得る。
【００７４】
補助パレットが開かれたときの補助パレット室と排気室の間の圧力の低下または変化は、排気制御ゲートのサイズに応じて変わるだろう。
【００７５】
排気制御ゲート９０の幅を変えることによって、元の「ｐｌｕｃｋ（引張）」が克服されたとき鍵１０１で感じられる「触った後の」効果が変更される。排気制御ゲートは、補助パレットが開かれてすぐに補助パレット室から流出する空気の制限を設け得る。この制限は、補助パレットの移動の最初の何ミリメートルかのピークフォール抵抗を低減またはさらに強める。排気制御ゲートは、出荷時に調整済みであり得る。
【００７６】
付勢要素は、補助パレットを閉位置に押し付けるのに用いられ得る。第２の調整要素は、補助パレットに付勢要素によってかけられる張力を制御し得る。
【００７７】
一例では、付勢要素は、ばねである。図１Ｂを参照すると、ばね３０は、補助パレット２０に接続されている。例えば、ばね３０の端部２１９は、補助パレット２０に接続されている。ばね３０の他端２１８は、レバー４０に取り付けられる。
【００７８】
レバー４０は、排気室１２０の下に位置する。レバー４０は、ピボット２２７に取り付けられる。ピボット２２７は、レバー４０が、その回転軸によって画定された方向に移動することを可能にする。
【００７９】
一例では、レバー４０上にカラー１４０が存在する。カラー１４０は、ばね３０の端部２１８を締め付けるまたは保持するように構成されている。
【００８０】
ばね３０の端部２１８がカラー１４０によって保持されると、レバー４０が移動するときバー４０はばね３０を引っ張るだろう。バー４０が移動するにつれて、ばね３０の長さは変わるだろう。それは、ばね３０の抵抗が変わるだろうことを意味する。
【００８１】
一例では、ばねの他端は、レバー４０上のバー１５０に取り付けられる。レバーが上下に移動すると、ばね３０は、縮小または拡大し、補助パレットにばねによってかけられる力を変える。
【００８２】
ばねは、レバー４０およびその機構５０を有するスクエアによって、パレットから離れるように移動される。スクエア機構は、垂直に接続されているバー２５１および２５３を含む。レバー４０は、一端において風箱の底部に取り付けられているピボットを有する。レバー４０の端部２２１は、スクエア機構５０に接続されている。
【００８３】
図１Ｂを参照すると、クランク６０などの調整要素は、スクエア機構５０に接続されている。スクエア５０は、奏者がアクセスすることができるクランク６０に接続されているねじ棒によって引かれるまたは押される。奏者がクランク６０を時計回りに回すにつれて、バー２５１は、右に向かって移動し、同時に、バー２５３は下に移動し、かくして、ばね３０に下方への力をかける。このことにより、補助パレットに取り付けられているばね３０の張力が増大する。
【００８４】
一例では、デバイスは、鍵の張力に対し制御を行うためにオルガンに設置され得る。係るデバイスは、上述のような補助室を含み得る。
【００８５】
例えば、デバイスは、オルガンの風箱から独立するようになされた補助室を含み、補助室は、ウィンドレギュレータと流体連通するように構成されている。デバイスの内部室は、室の内部の空気圧を制御するために、外部から絶縁され得る。補助室は、オルガン内部のどこかに設置され得る。補助室は、オルガンの風箱の下に位置し得る。
【００８６】
デバイスは、室の内部に配置されかつ鍵に接続されている補助パレットを含む。補助パレットは、鍵に直接接続され得る。補助パレットは、鍵とオルガンの風箱のパレットの間のリンクに接続され得る。例えば、補助パレットは、鍵が押されたときに鍵に張力をもたらすためにオルガンの風箱に位置するパレットに接続され得る。
【００８７】
デバイスは、ウィンドレギュレータから生成される風を制御する第１の調整要素を含む。補助室の空気圧は、ウィンドレギュレータによって制御される。空気圧は、０〜２５０ｍｍ水柱であり得る。
【００８８】
デバイスは、補助パレットを閉位置に押し付ける付勢要素を含む。デバイスは、補助パレットに付勢要素によってかけられる張力を制御する第２の調整要素を含む。
【００８９】
デバイスは、補助室に隣接する排気室を含み、排気室は、補助パレットが閉位置にあるとき補助パレットによって補助室から分離されたままである。排気室は、排気制御ゲートを含む。排気制御ゲートは、開口を画定する。開口のサイズは、可変である。オルガンの鍵の鍵張力を制御する方法もまた開示される。方法は、風箱から独立している補助室の補助パレットにかけられる空気圧を制御することを含み、補助パレットは、当該鍵に接続されている。
【００９０】
方法は、さらに、補助パレットを閉位置に押し付ける付勢要素にかけられる張力を制御することを含み、付勢要素は、鍵に接続されている。
【００９１】
方法は、排気制御ゲートを制御して排気室に残る空気の量を変えることを含み、排気室は、開口を画定する排気制御ゲートを備える。排気制御ゲートは、開かれ得るまたは閉められ得る。ユーザは、排気制御ゲートの開閉を制御し得る。製造者はまた、排気室および排気ゲートのサイズを設定し得る。方法は、開口のサイズを制御することを含む。開口のサイズは、製造者によって設定され得る。開口のサイズは、ユーザによって制御され得る。
【００９２】
オルガンの鍵の鍵張力を制御する方法もまた開示される。方法は、補助パレットを鍵に接続することを含み、補助パレットは、補助室の内部に配置され、補助室は、オルガンの風箱から独立するようになされている。例えば、補助パレットは、鍵と風箱の内部に位置するパレットの間のリンクに接続され得る。方法はまた、補助室の内部で生成される風を制御することも含む。さらに、方法は、補助パレットに付勢要素によってかけられる張力を制御することを含む。
【００９３】
当業者は、所与の例に提示された様々な性質または特徴は、適用可能な場合、本開示の一般的範囲によって網羅される任意の他の例に追加かつ／または用いられ得ることを理解する。
【００９４】
本開示の段落[００１０]〜[００９２]の例は、本開示において、適用可能な場合、例のあらゆる組み合わせがなされ得ることを示すように提示される。かくして、これらの例は、先行請求項のいずれかに従属する、例全てに対する従属請求項を作成する（先に提示した例を網羅する）ことと同等に、説明において提示してきたので、それらはあらゆる可能な方法で一緒に組み合わされ得ることを示す。例えば、適用可能な場合、段落[００１０]〜[００９２]の例ならびに段落[０００６]〜[０００９]の装置および方法のあらゆる可能な組み合わせは、本開示によって明細書に網羅される。
【００９５】
本開示は、具体例に関して記載されてきた。記載は、開示の範囲を限定するのではなく、開示の理解を助けることを意図した。様々な変更が、本明細書中に記載された開示の範囲から逸脱することなく、開示に対してなされ得ることが当業者に明らかであろう。そして、そうした変更は、本文書によって網羅されることが意図される。
【図１Ａ】
2020525855.tif 000003
【図１Ｂ】
2020525855.tif 000004
【図１Ｃ】
2020525855.tif 000005
【国際調査報告】
2020525855.tif 000006
2020525855.tif 000007